(57)【要約】【課題】スラブ内のコンクリートのかぶり厚さを一定に維持することができる矩形底鉄線付移動防止金具を提供する。【解決手段】本考案は矩形つなぎ底鉄線23を持つ移動（浮力）防止金具であり、主にプレーサ2とプレーサ2の中に置く球体１が設けてあるもので、プレーサ2の下端には底鉄線22と新たな矩形つなぎ底鉄線23が設置されていて、矩形つなぎ底鉄線23と底鉄線22をしっかりと繋ぎ止めることによって、底鉄線22と矩形つなぎ底鉄線23を球体1に密着させることができ、球体１の移動を拘束することを特徴とする。よって、プレーサ２は底鉄線22、矩形つなぎ底鉄線23と組み合わせる事によって球体を緊密に覆うことができ、球体1の浮上や横力に抵抗し、スラブ内のコンクリートのかぶり厚さを一定に維持することができる。【選択図】  図１
0003143471.tif 000002
【実用新案登録請求の範囲】
【請求項１】
移動防止金具の一種であり、１つのプレーサは開いている口が上向きとなり、口から球体を挿入させ、円弧側鉄線の下には底鉄線と矩形つなぎ底鉄線がそれぞれ設置されており、前記矩形つなぎ底鉄線は前記底鉄線につなぎ止め、そして前記底鉄線の末端から前記矩形つなぎ底鉄線を延伸するとともに、前記底鉄線と前記矩形つなぎ底鉄線をより広い面積で前記球体に密着させることにより、前記球体の前期プレーサ内にゆるみがあって回ったり、移動したりすることを防ぐことを特徴とする、矩形底鉄線付移動防止金具。
【請求項２】
前記矩形つなぎ底鉄線は前記円弧側鉄線の下から球体側へ直接に曲げられて固定されることを特徴とする、請求項１に記載の矩形底鉄線付移動防止金具。
【請求項３】
前記矩形つなぎ底鉄線は鉄線部分がやや上方へ上げられることによって、前記球体に前記鉄線を確実に固定することを特徴とする、請求項１に記載の矩形底鉄線付移動防止金具。
【請求項４】
前記円弧側鉄線は矩形つなぎ底鉄線により、より円弧状に近い形で前記プレーサを前記球体に密着させることを特徴とする、請求項１乃至請求項３のいずれか１項に記載の矩形底鉄線付移動防止金具。
【考案の詳細な説明】
【技術分野】
【０００１】
本考案は「ボイドスラブ」領域に係り、具体的にはコンクリートを打設する時に生じる浮力と横力による球体の移動を拘束し上下のコンクリートのかぶり厚さを維持するための移動（浮力）防止金具である。
【背景技術】
【０００２】
ボイドスラブを施工する際に、プレーサ2の中に球体1を入れてからコンクリートを打ち込み、球体1をコンクリートの中に埋没させる方法がこれまでの当業界で使用されていた工法である。
【０００３】
図6に示すように、従来の製品では、コンクリート4を打設する際に生じる浮力F1と横力F2が球体1’に加わり上昇したり、横へと移動したりすることもあり、また球体1’がプレーサ2より上に出る事もある。その結果、球体1’のスラブかぶり厚さL1、L2が不均衡となり、スラブの施工品質を著しく阻害してしまう事となる。
【０００４】
また、コンクリートを打設するときに、球体1が生じた浮力F1と横力F2によって、プレーサ2の両側のつなぎ底鉄線（通称はクリップで、 図6の25´を参照）が底鉄線22に沿って移動しやすく、球体1が所定の位置にうまく固定されていない。それにより、球体1がプレーサ2から外れてしまい、施工品質を阻害してしまう事もあった。従来の製品（図6参照）は、球体１との密着部分が少なく底鉄線22と球体1とが一体化されていない。
【０００５】
また、従来の製品は、側鉄線の円弧半径が大きいため、球体1との接触する部分が少なく、故に球体１との接触する部分に過大の力がかかり、側鉄線が球体１に食い込む等の欠点があった。
【考案の開示】
【考案が解決しようとする課題】
【０００６】
そこで、本考案の目的は矩形つなぎ底鉄線を採用する事により、コンクリート打設時に生じる浮上や横力に抵抗し、スラブ内の所定のかぶり厚さを一定に維持する事を可能にした矩形底鉄線付移動防止金具を提供することである。
【０００７】
また、本考案のもう一つの目的は矩形つなぎ底鉄線を採用する事により、金具のプレーサ構造が簡単でコストも低価格なのでスラブのコストを節約できる矩形底鉄線付移動防止金具を提供することである。
【課題を解決するための手段】
【０００８】
本考案は、プレーサの下端に底鉄線と矩形つなぎ底鉄線とが設置されており、この矩形つなぎ底鉄線にしっかりと底鉄線を繋ぎとめる事で、鉄線が球体に密着させることを特徴とするものである。
【０００９】
また、本考案は、底鉄線と矩形つなぎ底鉄線だけではなく、プレーサ自身も球体を緊密に保持することができ、球体の浮上や横力に抗し、スラブ内のコンクリートのかぶり厚さを維持することを特徴とするものである。
【考案の効果】
【００１０】
本考案に係る「矩形底鉄線付移動防止金具」によれば、コンクリート打設時に生じる浮上や横力に抵抗し、スラブ内の所定のかぶり厚さを一定に維持する事ができる。また、球体をよりプレーサに固定することだけではなく、矩形繋ぎ底鉄線により、プレーサのバラつきを完全に防止することができるので、このことから効率がよく、安定性に優れる床の施工が期待できる。
【考案を実施するための最良の形態】
【００１１】
図1乃至図4に示すように、本考案では、矩形つなぎ底鉄線23を提供し、ボイドスラブのコンクリート打設前に行う作業に応用するものである。ボイドスラブ内に平行枠3が設けてある。平行枠3の中には複数の球体1が設置されており、本考案の特徴は球体1に使うプレーサ2を固定する事である。
【００１２】
上述のプレーサ2は平行に設置される弧状の鉄枠21、2本含む。この円弧側鉄線21は直径が球体1より小さいので、両端から球体1を頑丈に固定することができる。円弧側鉄線21の球体１の底部のヒンジ部で、１本が底鉄線22になり、もう１本が矩形つなぎ底鉄線23となっている。
【００１３】
この「矩形つなぎ底鉄線23」最大の特徴は、以下のとおりである。
【００１４】
（イ）円弧側鉄線21は、曲げられる事により形成されていて、矩形つなぎ底鉄線23によって、球体をよりプレーサ2に密着させる事ができる。
【００１５】
（ロ）矩形つなぎ底鉄線23は、もう一方の円弧側鉄線21の底部から直接、球体1側に曲げて固定されている。
【００１６】
（ハ）矩形つなぎ底鉄線23が底鉄線22を繋ぎ止め、そして底鉄線22の末端から矩形つなぎ底鉄線23を延伸することによって、底鉄線22と矩形つなぎ底鉄線23は球体1により密着する事が出来る。
【００１７】
さらに、この矩形つなぎ底鉄線23の末端の鉄線の部分がやや上がっていることにより、確実に鉄線を球体1に固定させることができ、球体1がプレーサ2内で移動することを防ぐことが出来る。
【００１８】
円弧側鉄線21の両側の上端は別々の2本の平行枠3上で固定し、プレーサ2が球体1を挟む時、留金具24で平行枠3の両側の上に掛け固定をする。
【００１９】
図5に示すように、以上の構造によって、プレーサ2の両側にある円弧側鉄線21及び底鉄線22と矩形つなぎ底鉄線23およびプレーサ2自身で球体1をしっかり挟むことが出来る。コンクリート打設時に球体1に対して生じる浮上や横力による移動を防ぎ、スラブの上下のかぶり厚さを所定の数値に一致、維持することが出来る。また、円弧側鉄線21は矩形つなぎ底鉄線23により、もっと円弧状に近い形でプレーサ2をより球体1に密着させる事が出来る。それによって浮上率を最大限に抑える事が可能となる。浮上率を抑える事によって平行枠3に近づく事なく、所定のかぶり厚さを維持する事が出来る。
【００２０】
コンクリート打設する際に球体にかかる浮力と横力が強力であるため、従来の製品では球体が所定位置から移動することがあった。プレーサから出てしまった球体が浮力などにより、上昇したり、横移動したり、最悪の場合には、そのままコンクリートの重さで押しつけられ、型枠をはずした際には天井から露出してしまうこともまれにはあった。また、球体の位置が変わることによって、上下のかぶり厚さも維持することもできなくなり、構造的にも不安定性をもたらしてしまう。これに対して、本考案では、球体をよりプレーサに固定することだけではなく、矩形繋ぎ底鉄線により、プレーサのバラつきを完全に防止することができる。よって、効率よく、安定性のある床を施工することが期待できる。
【００２１】
上述の詳細な説明は本考案の実際に行う実行例の具体的な説明である。この実行例は本考案の登録請求範囲を制限するものではない。均等効果の実施や変更が本考案の技術及び技術コンセプトから離れていなければ、全て本考案の登録請求範囲の中に含まれている。
【図面の簡単な説明】
【００２２】
【図１】本考案の矩形底鉄線付移動防止金具の立体図
【図２】本考案の矩形底鉄線付移動防止金具の平面図
【図３】本考案の矩形底鉄線付移動防止金具の右側面図
【図４】本考案の矩形底鉄線付移動防止金具の前側面図
【図５】実施例の立体図
【図６】実施例の立体図
【図７】ボイドスラブ内の浮上と横力を受ける状態を示す説明図
【符号の説明】
【００２３】
1    球体
1’  球体
2    プレーサ
2’  プレーサ
21   円弧側鉄線
22   底鉄線
23   矩形つなぎ底鉄線
23’ 矩形つなぎ底鉄線
24   留金具
3    平行枠
4    コンクリート
F1   浮力
F2   横力
L1   かぶり厚さ
L2   かぶり厚さ
【図１】
0003143471.tif 000003
【図２】
0003143471.tif 000004
【図３】
0003143471.tif 000005
【図４】
0003143471.tif 000006
【図５】
0003143471.tif 000007
【図６】
0003143471.tif 000008
【図７】
0003143471.tif 000009